(57)【要約】【課題】  位置変更を可能にする空気濾過システムを提供する。【解決手段】  空気濾過システムは、プレナム内に位置変更可能に位置付けられるハウジングを有し、プレナムはハウジングと部屋との間において流体連通にある。ハウジング内においては、ファンが配置され、汚染された空気をプレナムから吸い込むように構成されている。少なくとも１つのフィルタ部材がハウジング内に位置付けられ、汚染された空気を濾過するように構成されている。フレキシブルダクトが、濾過された空気を、ハウジングから部屋へ導くように構成されている。フレキシブルダクトは、ハウジングに位置変更の可能性を与えるように構成されている。【選択図】図１
2011185593.tif 000002
【特許請求の範囲】
【請求項１】
プレナム内に位置変更可能に位置付けられるハウジングであって、前記プレナムはハウジングと部屋との間において流体連通にある、ハウジングと、
前記ハウジング内に位置付けられ、汚染された空気を前記プレナムから吸い込むように構成されたファンと、
前記ハウジング内に位置付けられ、前記汚染された空気を濾過するように構成された、少なくとも１つのフィルタ部材と、
濾過された空気を、前記ハウジングから前記部屋へ導くように構成され、前記ハウジングの位置変更を可能にするようにも構成されたフレキシブルダクトと、
を備える空気濾過システム。
【請求項２】
スロットを有する雌のリングと突起を有する雄のリングとを含むクイックコネクトであって、
前記雄のリングは前記フレキシブルダクトに連結され、前記雌のリングはハウジングに連結され、
前記スロットは、前記フレキシブルダクトをハウジングに連結するために前記突起を受け入れるように構成されている、
クイックコネクトをさらに備える、請求項１に記載の空気濾過システム。
【請求項３】
スロットを有する雌のリング及び突起を有する雄のリングとを含むクイックコネクトであって、
前記雄のリングは前記フレキシブルダクトに連結され、前記雌のリングは天井グリッドに連結され、
前記スロットは、前記フレキシブルダクトを天井グリッドに連結するために前記突起を受け入れるように構成されている、
クイックコネクトをさらに備える、請求項１に記載の空気濾過システム。
【請求項４】
気密な接合部を形成するために、前記雄のリングと前記雌のリングとの間に配置されたガスケット
をさらに備える、請求項３に記載の空気濾過システム。
【請求項５】
開放リターンであって、
前記ファンは、前記開放リターンを経てプレナムから汚染された空気を吸い込むように構成されている、
開放リターンをさらに備える、請求項１に記載の空気濾過システム。
【請求項６】
前記ハウジングの位置変更の可能性により、既存の構造物を避けるように前記空気濾過システムを前記プレナム内に位置付けることを可能にする、請求項１に記載の空気濾過システム。
【請求項７】
前記フレキシブルダクトの周りを回転して、前記フレキシブルダクトを天井グリッドに連結する、クイックコネクト
をさらに備える、請求項１に記載の空気濾過システム。
【請求項８】
前記フレキシブルダクトの周りを回転して、前記フレキシブルダクトを前記ハウジングに連結するクイックコネクト
をさらに備える、請求項１に記載の空気濾過システム。
【請求項９】
部屋と流体連通にあるプレナムと、
前記プレナム内に位置変更可能に位置付けられていて、前記部屋と流体連通にあるハウジングと、
前記ハウジング内に位置付けられ、汚染された空気を前記プレナムから吸い込むように構成されたファンと、
前記ハウジング内に位置付けられ、前記汚染された空気を濾過するように構成された少なくとも１つのフィルタ部材と、
濾過された空気を、前記ハウジングから前記部屋へ導くように構成され、前記ハウジングに位置変更の可能にするようにも構成されたフレキシブルダクトと、
を備える空気濾過システム。
【請求項１０】
スロットを有する雌のリング及び突起を有する雄のリングとを含むクイックコネクトであって、
前記雄のリングは前記フレキシブルダクトに連結され、前記雌のリングは前記ハウジングに連結され、
前記スロットは、前記フレキシブルダクトをハウジングに連結するために前記突起を受け入れるように構成されている、
クイックコネクトをさらに備える、請求項９に記載の空気濾過システム。
【請求項１１】
スロットを有する雌のリングと突起を有する雄のリングとを含むクイックコネクトであって、
前記雄のリングは前記フレキシブルダクトに連結され、前記雌のリングは天井グリッドに連結され、
前記スロットは、前記フレキシブルダクトを天井グリッドに連結するために前記突起を受け入れるように構成されている
クイックコネクトをさらに備える、請求項９に記載の空気濾過システム。
【請求項１２】
気密な接合部を形成するために、前記雄のリングと前記雌のリングの間に配置されたガスケット
をさらに備える、請求項１１に記載の空気濾過システム。
【請求項１３】
開放リターンであって、
前記ファンは、前記開放リターンを経てプレナムから汚染された空気を吸い込むように構成されている、
開放リターンをさらに備える、請求項９に記載の空気濾過システム。
【請求項１４】
前記ハウジングの位置変更の可能性により、既存の構造物を避けるように前記空気濾過システムを前記プレナム内に位置付けることを可能にする、請求項９に記載の空気濾過システム。
【請求項１５】
前記フレキシブルダクトの周りを回転して、前記フレキシブルダクトを天井グリッドに連結するクイックコネクト
をさらに備える、請求項９に記載の空気濾過システム。
【請求項１６】
前記フレキシブルダクトの周りを回転して、前記フレキシブルダクトを前記ハウジングに連結するクイックコネクト
をさらに備える、請求項９に記載の空気濾過システム。
【請求項１７】
部屋のための空気濾過システムを提供する方法であって、
部屋と流体連通にあるプレナム内に、位置変更可能にハウジングを位置付けるステップと、
前記プレナムを経て前記部屋から汚染された空気を吸い込むようにファンを前記ハウジング内に位置付けるステップと、
汚染された空気を濾過するように少なくとも１つのフィルタ部材を前記ハウジング内に位置付けるステップと、
濾過された空気を、前記ハウジングの位置変更を可能にするように構成されたフレキシブルダクトを経て前記ハウジングから前記部屋へ導くステップと、
を有する方法。
【請求項１８】
突起を有する雄のリングを前記フレキシブルダクトに連結するステップと、
前記フレキシブルダクトをハウジングに連結するために、前記突起を受け入れるように構成されたスロットを有する雌のリングを前記ハウジングに連結するステップと、
をさらに有する、請求項１７に記載の方法。
【請求項１９】
突起を有する雄のリングを前記フレキシブルダクトに連結するステップと、
前記フレキシブルダクトを天井グリッドに連結するために、前記突起を受け入れるように構成されたスロットを有する雌のリングを前記天井グリッドに連結するステップと、
をさらに有する、請求項１７に記載の方法。
【請求項２０】
気密な接合部を形成するために、前記雄のリングと前記雌のリングとの間にガスケットを配置するステップをさらに有する、請求項１９に記載の方法。
【請求項２１】
開放リターンを経て前記プレナムから汚染された空気を吸い込むステップをさらに有する、請求項１７に記載の方法。
【請求項２２】
前記ハウジングの位置変更の可能性により、既存の構造物を避けるように前記空気濾過システムを前記プレナム内に位置付けることを可能にする、請求項１７に記載の方法。
【請求項２３】
前記フレキシブルダクトを天井グリッドに連結するために、クイックコネクトを前記フレキシブルダクトの周りで回転させるステップをさらに有する、請求項１７に記載の方法。
【請求項２４】
前記フレキシブルダクトを前記ハウジングに連結するために、クイックコネクトを前記フレキシブルダクトの周りで回転させるステップをさらに有する、請求項１７に記載の空気濾過システム。
【発明の詳細な説明】
【技術分野】
【０００１】
本発明は、空気濾過システム、特にクイックコネクトを有する空気濾過システムに関する。
【背景技術】
【０００２】
クリーンルームは、典型的には、部屋の上方に広がるプレナムを有する。プレナムは、部屋から汚染された空気を受け入れて、濾過された空気を部屋に供給するための空気濾過システムを収容できるように構成されている。部屋とプレナムの間には、天井グリッドが配されている。天井グリッドは、プレナムへ空気を戻し、プレナムから空気を排出するためのベント（通気口）を有する。リターンベントが、部屋からプレナム内に配置された空気濾過システムへ、汚染された空気を戻す。空気濾過システムは、供給ベントを通じて濾過された空気を部屋に供給する。
【０００３】
リターンベント及び供給ベントはプレナム内に配されている。プレナム内の既存の構造物は、ベントから空気濾過システムへのダクトシステムにとって障害物となる。空気濾過システムは、また、プレナム内に常設的に配置される。部屋を再構成する必要が生じた場合には、新しいベントに適合させるために天井グリッドを交換又は再構成しなければならない。同様に、空気濾過システムも再構成する必要があるかもしれない。既存のクリーンルームは、部屋及びプレナムの再構築なくしては、ベント及び空気濾過システムを位置変更することができない。
【０００４】
位置変更が可能な空気濾過システムを提供する、改良されたシステム及び方法が依然必要である。
【発明の概要】
【０００５】
１つの実施形態においては、空気濾過システムが提供される。このシステムは、プレナム内に位置変更可能に位置付けられるハウジングを有するのであって、前記プレナムはハウジングと部屋との間において流体連通にある。ハウジング内には、ファンが配置され、汚染された空気をプレナムから吸い込むように構成されている。少なくとも１つのフィルタ部材がハウジング内に配置され、汚染された空気を濾過するように構成される。フレキシブルダクトが、濾過された空気を、ハウジングから部屋へ導くように構成される。フレキシブルダクトは、ハウジングの位置を変更できるように構成されている。
【０００６】
別の実施形態においては、空気濾過システムが提供され、このシステムは、部屋と流体連通にあるプレナムを有する。プレナム内に位置変更可能に位置付けられるハウジングが配置され、該ハウジングは部屋と流体連通にある。ハウジング内には、ファンが配置され、汚染された空気をプレナムから吸い込むように構成される。少なくとも１つのフィルタ部材がハウジング内に配置され、汚染された空気を濾過するように構成される。フレキシブルダクトが、濾過された空気を、ハウジングから部屋へ導くように構成される。フレキシブルダクトは、ハウジングの位置を変更できるように構成されている。
【０００７】
別の実施形態においては、部屋のための空気濾過システムを提供するための方法が提供される。方法は、ハウジングと部屋との間において流体連通にあるプレナム内に位置変更可能にハウジングを配置するステップを備える。プレナムを通じて部屋から汚染された空気を吸い込むようにファンが配置される。汚染された空気を濾過するように少なくとも１つのフィルタ部材がハウジング内に配置される。濾過された空気は、フレキシブルダクトを通じてハウジングから部屋へ導かれる。フレキシブルダクトは、ハウジングの位置を変更できるように構成される。
【図面の簡単な説明】
【０００８】
【図１】1つの実施形態による濾過システムの正面図である。
【図２】1つの実施形態による濾過システムの正面斜視図である。
【図３】図２に示される空気濾過システムと共に用いることができるクイックコネクトの底面斜視図である。
【図４】天井グリッドにダクトを固定するのに用いられる、図３に示されるクイックコネクトの上面斜視図である。
【発明を実施するための形態】
【０００９】
上述の概要及び後述の実施形態に関する詳細な説明は、添付の図面と併せて参照することによってより良く理解されるものである。
【００１０】
図１は、部屋１０２内の空気を濾過するのに用いられるフィルタシステム１００を示す。部屋１０２には、少なくとも１つの供給エリア１０４及び少なくとも１つのリターンエリア１０６がある。部屋１０２の上にプレナム１０８が構築される。随意に、部屋１０２の下又は部屋１０２の壁の内側に、プレナム１０８を構築することができる。プレナム１０８は、部屋１０２及びプレナム１０８の長さに沿って伸びる天井グリッド１１０によって、部屋１０２から隔離される。天井グリッド１１０は、フィルタシステム１００の組み立て及びメンテナンスを可能にすべく、人間がプレナム１０８内を歩行できるように人間の体重を支えられるように構成されている。天井グリッド１１０は、部屋１０２のリターンエリア１０６内においてリターンベント１１２を有することができる。天井グリッド１１０はまた、部屋１０２の供給エリア１０４内において供給ベント１１４を有することができる。リターンベント１１２は、部屋１０２からプレナム１０８へ、汚染された空気を導く。供給ベント１１４はプレナム１０８から部屋１０２へ濾過された空気を導く。
【００１１】
少なくとも１つの空気濾過システム１１６がプレナム１０８内に配置されている。空気濾過システム１１６はプレナム１０８内で位置を変更して配置することができる。図示されるように、空気濾過システム１１６は縦置型１０１又は平置型１０３とすることができる。空気濾過システム１１６の設置場所も変更可能である。空気濾過システム１１６は部屋１０２の供給エリア１０４の上の空間に配置することができる。随意に、空気濾過システム１１６はプレナム１０８内の任意の位置に設置することができる。また、空気濾過システム１１６は部屋１０２及びプレナム１０８から遠隔な位置に配置することもできる。空気濾過システム１１６は、開放リターン（ｏｐｅｎ  ｒｅｔｕｒｎ）１１８、ファン１２０及び少なくとも１つのフィルタ１２２を有する。開放リターン１１８はプレフィルタを有することができる。開放リターン１１８は、場合によっては、プレフィルタを有さないこともできる。ファン１２０は、開放リターン１１８を経てプレナム１０８から汚染された空気を吸い込む。例示の実施形態においては、汚染された空気はプレナム１０８によって画定される開放空間を流れる。随意に、開放空間１１８は、ダクトによってリターンベント１１２に連結することができる。このような実施形態においては、空気濾過システム１１６の位置の変更に適合させるために、ダクトは屈曲可能とすることができる。前述の少なくとも１つのフィルタ１２２は、空気濾過システム１１６を通過する汚染された空気を濾過する。例示の実施形態においては、前述の少なくとも１つのフィルタ１２２はHEPAフィルタである。随意に、フィルタ１２２は空気濾過システムにおいての使用に適切な任意のフィルタとすることができる。
【００１２】
また、空気濾過システム１１６は、供給アウトレット１２４を有するハウジング１１７を有する。ダクト１２６が、供給アウトレット１２４から部屋の供給ベント１１４へ延びる。ダクト１２６は、空気濾過システム１１６の位置の変更に対応するために、屈曲可能とすることができる。ダクト１２６は、ハウジング１１７の位置変更に適合可能である。部屋１０２中に配置される供給ベント１１４の個数は、空気濾過システム１１６が有する供給アウトレット１２４の個数に依存する。各供給アウトレット１２４は、供給ベント１１４に延びる別個のダクト１２６を有する。代替の構成としては、単一の供給アウトレット１２４によって複数の供給ベント１１４に空気を導くために、ダクト１２６を分岐させることができる。少ない個数の供給アウトレット１２４に適合させるために、随意に、部屋１０２内の少なくとも１つの供給ベント１１４を閉鎖することができる。別の実施形態においては、より少ない個数の供給ベントに適合させるために、少なくとも１つの供給アウトレット１２４を閉鎖することができる。例示の実施形態においては、プレナム１０８内に一対の空気濾過システム１１６が図示されている。部屋１０２の大きさに適合させるために任意の個数の空気濾過システム１１６を用いることができる。
【００１３】
図２は、天井グリッド２０２に連結された空気濾過システム２００を示す。天井グリッド２０２は、整列して配置された複数のパネル２０４を有する。各パネル２０４は、供給ベント２０６を有している。供給ベント２０６は、円形の輪郭をもって構成されている。供給ベント２０６は、随意に、ダクトを受け入れるのに適切な任意の形とすることができる。供給ベント２０６は、開放状態で図示されている。供給ベント２０６が空気濾過システム２００に用いられていないのであれば、随意に、その供給ベント２０６を閉鎖し、塞ぐことができる。各パネル２０４の下には、スクリーン２０８が配置される。例示の実施形態においては、天井グリッドはフィルタを含まない。パネル２０４とスクリーン２０８との間には、随意に、フィルタを配置することができる。
【００１４】
空気濾過システム２００は、それ自体の整備を可能とするためのドア２１０を有するハウジング２０１を有する。ドア２１０は、空気濾過システム２００の構成部品を見せるために開放状態で示されている。作動中は、ドア２１０は密閉状態にされる。空気濾過システム２００のハウジング２０１は、開放リターン２１２、ファン２１４及び少なくとも１つのフィルタ２１６を有する。開放リターン２１２は、プレフィルタがない状態で示されている。開放リターン２１２は、場合によっては、プレフィルタを内蔵することができる。ファン２１４は、遠心ファン又はプレナムファンとすることができる。空気濾過システム２００は、単一のファン２１４を有する状態で示されている。随意に、空気濾過システム２００は、ファンアレイを用いることもできる。
【００１５】
空気濾過システム２００はまた、供給アウトレット２１８を有する。供給アウトレット２１８は、円形状のものとして示されている。供給アウトレット２１８は、随意に、供給先ダクトに適切な任意の形とすることができる。供給アウトレット２１８は、開放状態で図示されている。随意に、少なくとも１つの供給アウトレット２１８は、閉鎖し塞ぐことができる。ファン２１４は、空気濾過システム２００の周囲の環境から、汚染された空気を開放リターン部２１２を通じて吸引する。随意に、ファン２１４は、空気ダクトを通して空気を吸い込むことができる。汚染された空気は、少なくとも１つのフィルタ２１６によって濾過され、供給アウトレット２１８を通じて排出される。
【００１６】
フレキシブルダクト２２０が各供給アウトレット２１８に連結されている。フレキシブルダクトは、空気濾過システム２００を供給ベント２０６に対して位置変更可能に適合させる。各ダクト２２０は、供給ベント２０６に連結されている。各供給アウトレット２１８は、供給ベント２０６へと延びる個別のダクト２２０を有する。代替の構成としては、単一の供給アウトレット２１８によって複数の供給ベント２０６に空気を導くために、ダクト２２０も分岐させることができる。ダクト２２０は、供給ベント２０６及び供給アウトレット２１８にクイックコネクトするように構成されている。クイックコネクト機構は、以下の図３及び図４において詳述する。クイックコネクト機構によって、空気濾過システム２００を天井グリッド２０２に対して位置変更することが可能となる。
【００１７】
図３は、図２に示されている空気濾過システムに用いることができるクイックコネクト３００の外観である。クイックコネクト３００は、雌の嵌め合いリング３０２、ガスケット３０４及び雄の嵌め合いリング３０６を有する。雌の嵌め合いリング３０２、ガスケット３０４及び雄の嵌め合いリング３０６は、円形状のダクトに適合できるように円形の構成に形成されている。随意に、雌の嵌め合いリング３０２、ガスケット３０４及び雄の嵌め合いリング３０６は、任意の大きさ及び形状のダクトに適合できるように構成することができる。雌の嵌め合いリング３０２は、複数のスロット３０８を有する。スロット３０８は、受入れ端部３１０と保持端部３１２とを有する。雄の嵌め合いリング３０６は、複数の突起３１４を有しており、当該突起は雌の嵌め合いリング３０２の受入れ端部３１０への挿入に適した大きさとする。
【００１８】
雌の嵌め合いリング３０２は、天井グリッド及び／又は空気濾過システムに連結されるように構成される。雄の嵌め合いリング３０６は、ダクト上に配置され、雌の嵌め合いリング３０２に連結される。突起３１４は、対応するスロット３０８の受入れ端部３１０に挿入される。突起３１４が対応するスロット３０８の保持端部３１２内に固定されるように、雄の嵌め合いリング３０６を回転させる。或いは、雄の嵌め合いリング３０６を雌の嵌め合いリング３０２に固定するのに、１個のねじ、複数のねじ又は他の金属製締結具等を用いることができる。ガスケット３０４は、雌の嵌め合いリング３０２及び雄の嵌め合いリング３０４との間に圧着され、気密な接合部を形成する。
【００１９】
図４は、ダクト３２０を天井グリッド３２２に固定するのに用いられるクイックコネクト３００の外観である。雌の嵌め合いリング３０２は天井グリッド３２２に連結される。雌の嵌め合いリング３０２は、天井グリッド３２２と共に気密な接合部を形成する。雌の嵌め合いリング３０２は、天井グリッド３２２に連結することができる。随意に、雌の嵌め合いリング３０２は、天井グリッド３２２と一体的に成形されることができる。ガスケット３０４は、雌の嵌め合いリング３０２の上で芯出して配置される。雄の嵌め合いリング３０６は、ダクト３２０の外周に沿って配置される。雄の嵌め合いリング３０６は、雌の嵌め合いリング３０２に隣接して配置される。図３に示されている雄の嵌め合いリング３０２の突起は、対応するスロット３０８の受入れ端部３１０に挿入される。突起が対応するスロット３０８の保持端部３１２内に固定されるように雄の嵌め合いリング３０６は回転される。ガスケット３０４は、雌の嵌め合いリング３０２と雄の嵌め合いリング３０４との間で圧着され、気密な接合部を形成する。
【００２０】
上述の空気濾過システム及びクイックコネクト機構は、プレナムに対する空気濾過システムの配置の変更を可能にする。空気濾過システムは、プレナム内の既存の構造物を避けるように位置付けることができる。フレキシブルダクトもまた、既存の構造物を避けて展開できるように構成される。クイックコネクト機構は、ダクトの取り外し及びプレナム内での再配置を容易にする。さらに、空気濾過システムは、プレナム及び／又は部屋から遠隔な位置に配置することができる。さらに、例示した実施形態は、部屋及び／又はプレナムの変更に適合させるために、フィルタ部材を天井グリッドから空気濾過システムへ移すことを可能にする。
【００２１】
本明細書中において説明した実施形態は、クリーンルーム環境との関係において説明されている。説明された実施形態は、空気調和装置内においても用いることができることも留意されたい。随意に、これら実施形態は住居用HVACシステムにおいても用いることができる。随意に、これら実施形態は、精密空調システム、直膨式及び冷却水式の空気調和装置、データセンターの冷却システム、プロセス冷却システム、加湿システム及び工場内で製作される調節ユニットの調整管理に用いることができる。随意に、これら実施形態は、商業用及び／又は住居用の換気装置と共に用いることができる。これら実施形態は、換気装置のフード部及び／又は空気採り入れ口に用いることもできる。
【００２２】
上述の説明は、例示的であり、限定的なものと解されることを意図しているものではない。例えば、上述の実施形態（及び／又はそれらの観点）は、互いに組み合わせて用いることができる。さらに、本発明の様々な実施形態の教示するところを特定の状況や材質に適合させるために、本発明の範疇を逸脱せずに、多種の改造を加えることができる。本明細書中に示される部材の寸法及び材質は、本発明の様々な実施形態の構成パラメータを定義付けるものではあるが、これら実施形態は限定的なものであることは決してなく、例示的な実施形態であるにすぎない。上述の説明を参照すれば、当業者にとって他の様々な実施形態が明らかになるであろう。したがって、本発明の様々な実施形態の範疇は、添付の請求項を参照して、これらの請求項に認められるべき等価物の全範囲を含めて、画定されるべきである。添付の請求項においての「有する」及び「において」の語は、それぞれ「備える」及び「であって」の平易で等価な用語として用いている。また、続く特許請求の範囲においては、「第１」、「第２」及び「第３」等の語は、単に識別標識として用いられているにすぎず、数値的な要件を目的語に導入することは意図されていない。さらに、後述の請求項の発明特定事項は、手段プラス機能形式では記載されておらず、合衆国法典第３５編第１１２条第６段落によって解釈されることは、明示的に「のための手段」の記載とそれに続いて構成を欠く機能が記載されるまでは意図されていない。
【００２３】
ここで用いられているように、不定冠詞「ａ」又は「ａｎ」に先行されて記載されている単数形の要素又はステップは、排除が明示的に示されている場合を除き、これら要素又はステップの複数形を排除するものではない。さらに、「１つの実施形態」への参照は、記載された発明特定事項を取り込む追加の実施形態の存在を排除するものとして解釈されるものと意図されているわけではない。また、明示的に逆の宣言なき限り、特定の性質を有する一以上の要素を「備える」又は「有する」実施形態は、これらの性質を有さない他の追加の要素を伴うことができる。
【００２４】
本明細書は、本発明の様々な実施形態を開示するのに、具体例を用い、これには最良実施形態が含まれており、当業者が本発明の様々な実施形態を、装置又はシステムの作成又は使用並びにこれらが具現化された方法の使用を含めて実施することを可能にする。本発明の様々な実施形態の範囲は、請求項によって画定され、当業者が想到する他の例を含むこともできる。このような他の例は、請求項の文言に違わない構造的要素があるか又はこれらの例が非本質的な相違点を持つ等価な構造要素を含む場合に請求項の範疇に留まることが意図されている。
【符号の説明】
【００２５】
１００  フィルタシステム
１０１  縦置き型空気濾過システム
１０２  部屋
１０３  平置き型空気濾過システム
１０４  供給エリア
１０６  リターンエリア
１０８  プレナム
１１０  天井グリッド
１１２  リターンベント
１１４  供給ベント
１１６  空気濾過システム
１１７  ハウジング
１１８  開放リターン
１２０  ファン
１２２  フィルタ
１２４  供給アウトレット
１２６  ダクト
２００  空気濾過システム
２０１  ハウジング
２０２  天井グリッド
２０４  パネル
２０６  供給ベント
２０８  スクリーン
２１０  ドア
２１２  開放リターン
２１４  ファン
２１６  フィルタ
２１８  供給アウトレット
２２０  フレキシブルダクト
３００  クイックコネクト
３０２  雌の嵌め合いリング
３０４  ガスケット
３０６  雄の嵌め合いリング
３０８  スロット
３１０  受入れ端部
３１２  保持端部
３１４  突起
３２０  ダクト
３２２  天井グリッド
【図１】
2011185593.tif 000003
【図２】
2011185593.tif 000004
【図３】
2011185593.tif 000005
【図４】
2011185593.tif 000006
【外国語明細書】
2011185593000001.pdf